(57)【要約】【課題】視認性がよく且つ斬新な表示ができる自発光指針を提供する。【解決手段】文字板２の前面側に設けられ且つ前記文字板２に付した指標２３と協働して計測量を表示する透光性部材からなる指示部３１を有し、前記指示部３１内を導いた光によって前記指示部３１を発光する自発光指針３であって、前記指示部３１は、その指示方向に延びて観測者から直接視認される表面部３１ａと、前記表面部３１ａに対向し且つ前記表面部３１ａよりも幅が狭い底面部３１ｂと、前記表面部３１ａの縁から前記底面部３１ｂの縁に向かい且つ前記指示部内から前記文字板に向かって光が出射するのを阻止するように傾斜する傾斜部３１ｃと、前記底面部３１ｂに施された着色層３１ｄと、を有することを特徴とする。【選択図】図３
2008107192.tif 000002
【特許請求の範囲】
【請求項１】
文字板の前面側に設けられ且つ前記文字板に付した指標と協働して計測量を表示する透光性部材からなる指示部を有し、前記指示部内を導いた光によって前記指示部を発光する自発光指針であって、
前記指示部は、その指示方向に延びて観測者から直接視認される表面部と、前記表面部に対向し且つ前記表面部よりも幅が狭い底面部と、前記表面部の縁から前記底面部の縁に向かい且つ前記指示部内から前記文字板に向かって光が出射するのを阻止するように傾斜する傾斜部と、前記底面部に施された着色層と、を有することを特徴とする自発光指針。
【請求項２】
前記傾斜部は、前記表面部から前記指示部内に入射した外光Ｌに対して全反射面となるように形成されていることを特徴とする請求項１に記載の自発光指針。
【請求項３】
文字板と、前記文字板の前面側に設けられ且つ前記文字板の前面に付した指標と協働して計測量を表示する指針と、を有する車両用表示装置において、
前記指針は、請求項１又は２に記載の自発光指針であり、
前記文字板の裏面側に設けられ且つ前記自発光指針の指示部内を導光する光を発する光源を有することを特徴とする車両用表示装置。
【発明の詳細な説明】
【技術分野】
【０００１】
本発明は、自発光指針及び車両用表示装置に関し、より詳細には、指示部内を導いた光によって指示部を発光する自発光指針と該自発光指針を有する車両用表示装置に関するものである。
【背景技術】
【０００２】
一般に車両には、図７及び図８に示すように、車両速度、エンジン回転、燃料残量、温度等の計測値を表示する複数（図７中では４つ）の車両用表示装置１００を有するコンビネーションメータ１が搭載されている。コンビネーションメータ１は、複数の車両用表示装置１００と、ウォーニング１０２と、シフトインジケータ１０３と、車両用表示装置１００の縁部を覆う見返し１０４と、をケース１０５内に収容して表ガラス１０６で覆うことで、車両用表示装置１００の指針１１２等を保護している。コンビネーションメータ１は、ケース１０５に設けられた複数の取付部７によって車両に取り付けられる。
【０００３】
車両用表示装置１００は、表面に目盛及び数字、文字または記号等の指標１１１ａが設けられた文字板１１１と、この文字板１１１の前面に配置される指針１１２と、計測量に応じて指針１１２を駆動する内機１１３と、回路パターンが設けられ内機１１３が固定される配線板１１４と、配線板１１４に設けられた複数の光源１１５と、ケース１０５から配線板１１４に向かって設けられて光源１１５の光を反射する反射面１１６と、裏カバー１１７と、を有している。そして、光源１１５の光を文字板１１１と指針１１２に導くことで、文字板１１１の指標１１１ａや指針１１２の指示部１１２ａを発光させている。
【０００４】
特許文献１に示す自発光指針は、斑なく均一に発光させるために、基部で受光した光を指示部の先端方向に反射する反射面に加え、受光した光の一部を基部近傍の指示部の底面に向けて反射する近傍用反射面を設けることで、基部近傍の指示部を確実に発光させるにしたものが知られている。
【特許文献１】特開２００５−２６５８３５号公報
【発明の開示】
【発明が解決しようとする課題】
【０００５】
車両用表示装置に用いられる自発光指針は、その断面を四角形に形成し、その底面の一部に細い略直線状着色層が施されている。このような自発光指針では、指示部の下に配置される文字板の数字、文字等の指標と指標部が重なった場合、略直線状着色層は指標を覆う面積は少なくなるが、その分、指示部を透して文字板の指標が視認されてしまうため、指示部を形成する透光性部材がレンズとして機能して指標が歪んで視認され、視認性を低下させる可能性があった。
【０００６】
また、自発光指針の指示部から文字板への光漏れ防止を考慮すると、指示部の下面に遮光部材を施すことも考えられるが、底面上に線状着色層が視認されるのみであり、平凡な見た目となっていた。
【０００７】
さらに、車両に搭載される車両用表示装置にあっては、車種（価格帯の異なる車）毎の差別化を図る方法として、表示デザイン、斬新さなどで区別を付けるために、斬新な指針構造が望まれていた。
【０００８】
よって本発明は、上述した問題点に鑑み、視認性がよく且つ斬新な表示ができる自発光指針及び車両用表示装置を提供することを課題としている。
【課題を解決するための手段】
【０００９】
上記課題を解決するため本発明によりなされた請求項１記載の自発光指針は、文字板の前面側に設けられ且つ前記文字板に付した指標と協働して計測量を表示する透光性部材からなる指示部を有し、前記指示部内を導いた光によって前記指示部を発光する自発光指針であって、前記指示部は、その指示方向に延びて観測者から直接視認される表面部と、前記表面部に対向し且つ前記表面部よりも幅が狭い底面部と、前記表面部の縁から前記底面部の縁に向かい且つ前記指示部内から前記文字板に向かって光が出射するのを阻止するように傾斜する傾斜部と、前記底面部に施された着色層と、を有することを特徴とする。
【００１０】
上記請求項１に記載した本発明の自発光指針によれば、指示部内に導かれた光は、底面部に施された着色層を照射することで、観測者は表面部を透してその着色層を視認する。また、指示部内を導光される光が傾斜部に向かうと、文字板に向かって出射しないように傾斜部で指示部内に反射されるため、観測者は表面部を透して傾斜面を視認する。
【００１１】
請求項２記載の発明は、請求項１に記載の自発光指針において、前記傾斜部は、前記表面部から前記指示部内に入射した外光に対して全反射面となるように形成されていることを特徴とする。
【００１２】
上記請求項２に記載した本発明の自発光指針によれば、表面部等から指示部内に入射した外光は、その内部を文字板方向に向かうと、その一部は着色部を照射する。そして、他の外光は傾斜部の内面で指示部内に向かって全反射されるため、指示部から文字板への光漏れを防止することができる。
【００１３】
上記課題を解決するため本発明によりなされた請求項３記載の車両用表示装置は、文字板と、前記文字板の前面側に設けられ且つ前記文字板の前面に付した指標と協働して計測量を表示する指針と、を有する車両用表示装置において、前記指針は、請求項１又は２に記載の自発光指針であり、前記文字板の裏面側に設けられ且つ前記自発光指針の指示部内を導光する光を発する光源を有することを特徴とする。
【００１４】
上記請求項３に記載した本発明の車両用表示装置によれば、光源が発した光は自発光指針の指示部内を導光され、その光によって着色層を照射することで、観測者は表面部を透してその着色層を発光視認する。また、指示部内を導光される光が傾斜部に向かうと、文字板に向かって出射しないように傾斜部で指示部内に反射されるため、観測者は表面部を透して傾斜面を視認する。
【発明の効果】
【００１５】
以上説明したように請求項１に記載した本発明の自発光指針によれば、指示部の両側面を傾斜部として指示部内から文字板に向かう光の出射を阻止するようにしたことから、観測者は表面部を透して底面部の着色層を視認した際に指示部内のその両側から文字板の表面に付した指標を視認できないため、発光する着色部がすっきり見やすくなるとともに、着色層が指示部中に浮かび上がるように見え、観測者に視認性が良く斬新な表示を提供することができる。
【００１６】
請求項２に記載の発明によれば、請求項１に記載の発明の効果に加え、指示部内に入射した外光が傾斜部で指示部内に向かって全反射させるようにしたことから、指示部から文字板への光漏れを防止することができるため、指示部を透して着色層の両側から文字板の指標を透過視認できず、視認性をより一層向上させて斬新感を与えることができる。
【００１７】
以上説明したように請求項３に記載した本発明の車両用表示装置によれば、光源が発した光を自発光指針の指示部内で導光させても、着色層の両側から文字板に向かう光の出射は傾斜部で阻止するようにしたことから、観測者は表面部を透して底面部の着色層を視認した際に指示部内のその両側から文字板の表面に付した指標を視認できないため、観測者に視認性が良く斬新な表示を提供することができる。
【発明を実施するための最良の形態】
【００１８】
以下、本発明に係る自発光指針及び車両用表示装置をブラックフェースメータに適用する場合の最良の形態を、図１乃至図６の図面を参照して説明する。なお、自発光指針及び車両用表示装置はブラックフェースメータ以外の各種メータにも用いることができる。
【００１９】
図１において、車両用表示装置１は、表面（利用者から視認される面）に目盛及び数字、文字または記号等の指標部２３が設けられた文字板２と、この文字板２の前面に配置される自発光指針（以下、指針ともいう）３と、計測量に応じて指針３を駆動する内機４と、回路パターンが設けられ且つ内機４が固定される配線板５と、配線板５に設けられた複数の光源６と、配線板５の中央から文字板２の縁部に向かうように形成されたテーパ部７１を有するケース７と、配線板５の背後側を覆う裏カバー８と、着色透光性部材としての表ガラス９と、を有している。
【００２０】
文字板２は、図示しないが、透光性の文字板生地と、透光性の指標部と、非透光性の遮光部と、を有している。文字板生地は、ポリカーボネイト等の透光性の合成樹脂で板状に形成されており、各メータに対応して略円形状をしている。文字板生地の前面には、指標部と該指標以外を覆う遮光部とがスクリーン印刷等によって形成されている。そして、光源６からの光が文字板生地を透過し、その光は指標部からのみ観測者方向に出射されるため、観測者は指標部を発光視認する。
【００２１】
指針３は、本発明の自発光指針であり、文字板２の前面側に設けられ且つ文字板２に付した指標部２３と協働して計測量を表示する。指針３は、指示部３１と基部３２とからなる指針本体３３と、基部３２を覆う不透明な合成樹脂からなる指針キャップ３４と、指針キャップ３４内に設けられて指針３のバランスを調整するバランス部材３５と、指針本体３３を固定且つ内機４の出力軸に固定される指針袴３６と、を有している。指針本体３３は、アクリル樹脂等によって指示部３１と基部３２とが一体に形成されている。
【００２２】
指示部３１は、図２乃至図５に示すように、表面部３１ａと、底面部３１ｂと、一対の傾斜部３１ｃと、着色層３１ｄと、を有している。
【００２３】
表面部３１ａは、指示部３１の指示方向に延びて観測者から直接視認される指示部３１の表面となっている。底面部３１ｂは、表面部３１ａと対向し且つ表面部３１ａよりも幅が狭い指示部３１の底面となっている。底面部３１ｂの幅は、表面部３１ａの幅よりも小さな略線状に設計されており、観測者に視認させたい着色層３１ｄの幅に対応している。
【００２４】
一対の傾斜面３１ｃは、表面部３１ａの縁から底面部３１ｂの縁に向かい且つ指示部３１内から文字板２に向かって光が出射するのを阻止する指示部３１の側面となっている。各傾斜面３１ｃは、底面部３１ｂと約４５度の傾斜角度θで交わるように形成されている。このように形成することで、傾斜面３１ｃは表面部３１ａから入射した外光Ｌをその内面に指示部３１内に向けて全反射する。つまり、傾斜面３１ｃは傾斜面となっているため、指示部１１ｃから文字板２に向けて外光Ｌ等が出射するのを防止することができる。
【００２５】
なお、傾斜面３１ｃの傾斜角度については、外光Ｌ等を指示部３１内に向けて全反射させる角度が好ましいが、指針３のデザイン等を考慮して任意に設定することができる。また、傾斜面３１ｃは、直線状だけではなく、円弧状とするなど種々異なる実施形態とすることができる。
【００２６】
着色層３１ｄは、指示部３１の底面部３１ｂの表面を覆うようにホットスタンプ印刷等によって赤色、オレンジ色等の着色部材が施されている。着色層３１ｄは、指示部３１内を導光した光や外光Ｌ等によって照射されると、その光は着色層３１ｄで表面部３１ａに向かって反射され、表面部３１ａから観測者方向に向かって出射されることで、観測者から視認される。
【００２７】
指針本体３３の基部３２は、図６に示すように、光源６から光を受光する受光面３２ａと、受光面３２ａで受光した光を指示部３１の先端方向に反射する反射面３２ｂと、指針本体３３を指針袴３６に固定する固定部３２ｃと、この固定部３２ｃに設けられ且つ指針キャップ３４内のボス３４ａが貫通して位置決めを行う２つの位置決め穴３２ｄと、を有している。
【００２８】
指針キャップ３４は、その内面に略柱状突起として指針３の位置決め穴３２ｄに対応するように設けられた一対のボス３４ａと、その内面に略柱状突起としてバランス部材３５を位置決めするバランス用ボス３４ｂと、指針袴３６の係合凸部３６ｅが係合するように内面に設けられた係合凹部３４ｃと、を有している。
【００２９】
バランス部材３５は、指針本体３３の指示部３１を考慮して設定された重量に形成されており、指針キャップ３４の一対のバランス用ボス３４ｂが貫通される貫通孔３５ａを有している。バランス部材３５はバランス用ボス３４ｂによって位置決めされて指針キャップ３４内に収容される。
【００３０】
指針袴３６は、指針キャップ３４の外形に対応した円盤状の蓋部３６ａと、この蓋部３６ａから内機４に向かって延びる軸受け部３６ｂと、蓋部３６ａに設けられて指針本体３３の受光部３２が貫通される貫通部３６ｃと、指針キャップ３４の一対のボス３４ａが貫通されることで位置決めする一対の位置決め穴３６ｄと、を有している。
【００３１】
内機４は、周知であるステッパモータ、クロスコイルムーブメント等が用いられ、計測量に応じて指針３を駆動する。配線板５は、光源６と内機４が実装され、それらに電力を供給する。光源６は、ＬＥＤ、バルブ等が用いられ、配線板５に設けられた図示しない制御部によって点灯、消灯が制御される。ケース７は、テーパ部７１の表面であるテーパ面が反射面となっており、光源６が発した光を文字板２に向けて反射する。裏カバー８は、配線板５の背後を覆うようにケース７に組み付けられる。
【００３２】
表ガラス９は、透過率の低いスモークパネル等の着色透光性部材で形成されている。表ガラス９は、見返し１０を介してケース７に組み付けられる。表ガラス９は、文字板２の指標部２２を透過した光を透過して利用者に向けて出射する。つまり、光源６が光輝したときに指標部２２を視認可能とし且つ光源６が光輝しないときは視認を阻止することになる。
【００３３】
次に、上述した構成の本発明に係る自発光指針３の製造例を、図６の図面等を参照して以下に説明する。
【００３４】
指針キャップ３４内のバランス用ボス３４ｂがバランス部材３５の貫通孔３５ａに貫通されることで、指針キャップ３４内にバランス部材３５が位置決めされて収容される。そして、指針袴３６の貫通部３６ｃに指針本体３３の基部３２が貫通され、固定部３２ｃの位置決め穴３２ｄと指針袴３６の位置決め穴３６ｄとが連続した貫通孔となるように、指針本体３３は指針袴３６に組み付けられる。そして、その状態を維持して、指針キャップ３４内の一対のボス３４ａを前記連続した貫通孔に貫通させ、指針袴３６の係合凸部３６ｅと指針キャップ３４の係合凹部３４ｃとを係合させて指針袴３６に指針キャップ３４を指針３を組み付けることで、指針３が完成する。
【００３５】
次に、上述した構成の本発明に係る自発光指針３及び車両用表示装置１の表示における動作（作用）の一例を説明する。
【００３６】
車両のイグニッションスイッチのオン等に応じて、図１に示す光源６の発した光が指針本体３３の基部３２の受光面３２ａで受光されると、基部３２内を導光された後に反射面３２ｂで指示部３１の先端方向に反射される。そして、指示部３１内を導光された光は、指示部３１の底面部３１ｂに施された着色層３１ｄで反射され、この光を観測者が視認することで、観測者は指針３の指示部３１の着色層３１ｄを略直線状に発光視認する。
【００３７】
また、傾斜面３１ｃに向かった指示部３１内を導光した光や外光Ｌは、指示部３１内に向かって全反射されて、指示部３１内を導光されたり、表面部３１ａから観測者等に向かって出射される。このように文字板２に向かって指示部３１から出射しないように傾斜部３１ｃで指示部３１内に反射されるため、観測者は図５に示すように表面部３１ａを透して傾斜面３１ｃを視認するのみで、表面部３１ａを透して着色層３１ｄの両側から文字板２の指標部２３が視認されることを防止できる。つまり、指示部３１はその表面部３１ａを透して指標２３等の文字板２の表面の視認を不能としている。そして、傾斜面３１ｃは全反射することで実際よりも奥まって観測者から視認されるため、実像部である着色層３１ｄが浮かび上がって視認されることになる。
【００３８】
以上説明した自発光指針３によれば、指示部３１の両側面を傾斜部３１ｃとして指示部３１内から文字板２に向かう光の出射を阻止するようにしたことから、観測者は表面部３１ａを透して底面部３１ｂの着色層３１ｄを視認した際に指示部３１内のその両側から文字板２の表面に付した指標部２３を視認できないため、発光する着色部３１ｄがすっきり見やすくなるとともに、着色層３１ｄが指示部３１中に浮かび上がるように見え、観測者に視認性が良く斬新な表示を提供することができる。
【００３９】
また、指示部３１内に入射した外光Ｌが傾斜部３１ｃで指示部３１内に向かって全反射させるようにしたことから、指示部３１から文字板２への光漏れを防止することができるため、指示部３１を透して着色層３１ｄの両側から文字板２の指標部２３を透過視認できず、視認性をより一層向上させて斬新感を与えることができる。
【００４０】
さらに、車両用表示装置１によれば、光源６が発した光を自発光指針３の指示部３１内で導光させても、着色層３１ｄの両側から文字板２に向かう光の出射は傾斜部３１ｃで阻止するようにしたことから、観測者は表面部３１ａを透して底面部３１ｂの着色層３１ｄを視認した際に指示部３１内のその両側から文字板２の表面に付した指標部２３を視認できないため、観測者に視認性が良く斬新な表示を提供することができる。
【００４１】
また、上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００４２】
【図１】本発明の車両用表示装置の概略構成を示す断面図である。
【図２】図１中の本発明に係る自発光指針の斜視図である。
【図３】図２中の部分Ｘの拡大斜視図図である。
【図４】図２中の直線Ａ−Ａを通る矢印方向の断面図である。
【図５】図３の指示部と文字板の指標部との視認例を示す上面図である。
【図６】図２中の自発光指針の分解斜視図である。
【図７】従来のコンビネーションメータの正面図である。
【図８】図７中の車両用表示装置の断面図である。
【符号の説明】
【００４３】
１    車両用表示装置
２    文字板
３    自発光指針
３１    指示部
３１ａ    表面部
３１ｂ    底面部
３１ｃ    傾斜部
３１ｄ    着色層
３２    基部
３３    指針本体
３４    指針キャップ
３６    指針袴
Ｌ    外光
【図１】
2008107192.tif 000003
【図２】
2008107192.tif 000004
【図３】
2008107192.tif 000005
【図４】
2008107192.tif 000006
【図５】
2008107192.tif 000007
【図６】
2008107192.tif 000008
【図７】
2008107192.tif 000009
【図８】
2008107192.tif 000010